(57)【要約】【課題】組付けの際、一層安定になるヘルメットのシールド枠の構造の改良を提供する。【解決手段】ヘルメット１の帽体の中には、頭部を入れる穴１１が設けられ、帽体の穴の上方には帽体結合止金１２が設けられる。シールド枠２には、互いに枢接する後枠体２１及び前枠体２２とがあり、後枠体の後面の両端にはヘルメットに吸着して固着になる吸盤２３が設けられ、両吸盤の間には、帽体結合止金に引っ掛かって固着になる後枠結合止金２４が設けられ、前枠体の前面には前枠結合止金２５が設けられ、シールド３の頂側の後面には、前枠結合止金に引っ掛かって固着になるシールド結合止金３１が設けられる。【選択図】図１
0003128447.tif 000002
【実用新案登録請求の範囲】
【請求項１】
ヘルメットと、シールド枠と、シールドとを備えるヘルメットのシールド枠構造部であって、
ヘルメットは、帽体の中に下向きに前へ通して頭部を入れるための穴が設けられ、帽体の前面にある穴の上方には複数の左右へ間隔をあけて並列する帽体結合止金が設けられ、
シールド枠は、取外し可能にヘルメットに取り付けられ、相互に枢接し合いながら相対して上下に回動可能な後枠体及び前枠体を有し、後枠体の後面の両端には其々吸盤が設けられ、両吸盤の間には複数の間隔をあけ並列する後枠結合止金が設けられ、後枠結合止金は帽体結合止金に対応して引っ掛かり固着可能であり、吸盤はヘルメットの帽体に吸着して定位可能であり、前枠体の前面には複数の左右へ間隔をあけ並列する前枠結合止金が設けられ、
シールドは、取外し可能にシールド枠に取り付けられ、ヘルメットの穴の前方を覆い、シールドの頂側の後面には複数の左右へ間隔をあけて並列するシールド結合止金が設けられ、シールド結合止金が前枠結合止金に対応して接続可能であることを特徴とするヘルメットシールド枠の構造部。
【考案の詳細な説明】
【技術分野】
【０００１】
本考案はヘルメットのシールド枠の構造部の改良に関し、特にシールドをヘルメットのシールド枠に取付けることにより、シールドがヘルメットに対して上下に回動して開閉できるヘルメットのシールド枠の構造部に関する。
【背景技術】
【０００２】
ヘルメットとは、使用者の頭部に被って使用者の頭部を守るための物品であり、普通、シールド無ヘルメット又はシールド付ヘルメットとの二種類に分けられるが、早期にはシールド付ヘルメットの構造とは、一般的にヘルメットの前方に直接一つのシールドを枢接して、シールドを上下に回動して開閉することができるが、そのシールドをヘルメットから取外せないため、使用上、違うニーズによって自らシールド無のヘルメットに変えられないため使い勝手に乏しい。
【０００３】
そして目下知られたシールド付ヘルメットの構造とは、ヘルメットとシールドの間に自ら回動して開閉できるシールド枠を設けて、ヘルメットとシールド枠の間に幾つかの、互いに引っ掛かり合う止金を設けて、更にシールド枠とシールドとの間にも幾つかの、互いに引っ掛かり合う止金を設けておき、シールドを使わない場合、力を入れてシールドとシールド枠との間にある止金を互いに取外し、更にシールド枠とヘルメットとの間にある止金を互いに取外すと一般のシールド無ヘルメットに変えることができる。
【０００４】
しかし使用する場合、前記の従来知られたシールド付ヘルメットの構造では、次のような欠点が発生する。
１．シールド枠とヘルメットとの組付けには、単に幾つかの左右に並列した止金だけがあってその両端には何の固着構造をも設けていないため、シールドの角度を調整する際、シールドを上下に移動させるとシールド枠が容易にシールドの移動に従って上下に揺れやすくなりシールド枠を組み付けるにはより不安定になる。
【０００５】
２．もしシールド枠とヘルメットとその両端の間に別途に固着構造を設けると、シールド枠の固着安定さは増加できるが、シールド枠をヘルメットから取外すと、ヘルメットにおいてシールド枠の両端に対応する箇所に他の半分の固着構造の痕が現れるため、使用上より美観性に欠ける。
【考案の開示】
【考案が解決しようとする課題】
【０００６】
本考案の目的とは、組み付けの際、一層安定になるヘルメットのシールド枠の構造の改良を提供することにある。
本考案のもう一つの目的とは、ヘルメットにおいてシールド枠の両端に対応する枢接箇所に痕のない平らかな状態を維持するヘルメットのシールド枠の構造の改良を提供することにある。
【課題を解決するための手段】
【０００７】
本考案のヘルメットの帽体の中において、一つの頭部を入れるための穴が設けてあり、また帽体の穴の上方には複数の帽体結合止金が設けてあり、該シールド枠とは、互いに枢接する後枠体及び前枠体があり、後枠体の後面の両端には其々ヘルメットに吸着して固着になる吸盤が設けてあり、両吸盤の間には複数の帽体結合止金に対応して引っ掛かり固着になる後枠結合止金が設けてあり、また前枠体の前面には複数の前枠結合止金が設けてあり、該シールドの頂側の後面には複数の前枠結合止金に対応して引っ掛かり固着になるシールド結合止金が設けてある。
【考案を実施するための最良の形態】
【０００８】
図１、図２、図３に示したのは、本考案のヘルメットのシールド枠の構造の改良のより良い実施例であり、それは一つのヘルメット１、一つのシールド枠２、一つのシールド３を含んでいる。
該ヘルメット１とは使用者の頭部に被って使用者の頭部を守るためのものであり、該ヘルメット１の帽体の中には下向きに且前へ通して頭部が入るための穴１１が設けてあり、また帽体の前面にある穴１１の上方には三つの左右へ間隔をあけて並列する帽体結合止金１２が設けてある。
【０００９】
該シールド枠２は取外し可能にヘルメット１の上に取り付けられ、横棒の弧板状の後枠体２１を有し、また横棒の弧板状で且上下に回動できて後枠体２１の前側に枢接された前枠体２２があり、後枠体２１の後面の両端には其々吸盤２３が設けてあり、両吸盤２３の間には更に三つの左右へ間隔をあけて並列する後枠結合止金２４を設けておき、前枠体２２の前面には複数の間隔をあけて並列する前枠結合止金２５が設けてあり、前枠体２２と後枠体２１の両端の間には其々角度を調整して固着できる枢接構造を挟んで設けるため、前枠体２２が後枠体２１に対して角度を調整するように上下に回動できるが、それは一般の枢接構造であり、本実施例の創作重点ではないため、更にその構造について説明しない。他には、該シールド枠２において更に後枠体２１に少なくとも一つの下位置制限パーツ２６を設けて、且前枠体２２に少なくとも一つの上位置制限パーツ２７を設け、前枠体２２が下へ最大角度まで移動して上位置制限パーツ２７が下位置制限パーツ２６に当たると、前枠体２２が再び下へ移動できなくなるため、前枠体２２が下へ回動する角度が限定できる。前枠体２２が上へ最大角度まで移動すると、ヘルメット１の頂縁へ寄りかかってきて再び上へ移動できなくなるため、前枠体２２の上へ移動する角度が限定できる。
【００１０】
該シールド３とは取外し可能にシールド枠２に取り付けられ、ヘルメット１の穴１１の前方を覆うことができ、シールドの頂側の後面には三つの左右へ間隔をあけて並列するシールド結合止金３１が設けてあり、それらのシールド結合止金３１も位置調整可能にシールドに組み付けられるため、距離の違った前枠結合止金２５に合わせて取付けることができる。
【００１１】
組立てるとき、それら後枠結合止金２４は帽体結合止金１２に対応して引っ掛かって固着でき、且吸盤２３も両々とヘルメット１の帽体上に吸着して定位になるため、シールド枠２が固着されて動かずにヘルメット１に取り付けられ、またそれらのシールド結合止金３１を前枠結合止金２５に対応して固着すると、シールド３をシールド枠２に固定でき、上下にシールド３を移動する場合、シールド枠２の前枠体２２と後枠体２１の間にある枢接構造により、ヘルメット１に対する角度が調整でき、一方シールド３を使用しない場合、力を入れてシールド結合止金３１を前枠結合止金２５から取外すこともでき、更に後結合止金２４を帽体結合止金１２から取外せばシールド枠２を一緒にヘルメット１から取外すことができる。
【００１２】
本考案のヘルメットのシールド枠の構造の改良における設計では次のような長所を持っている。
１．該シールド枠２とヘルメット１との組み付けでは、後枠結合止金２４を帽体結合止金１２に固着するほか、その左右両端は吸盤２３によって両々とヘルメット１に吸着して定位になるため、シールド枠２は全面的にヘルメット１に安定して固着でき、シールド３の角度を調整するとき、シールド枠２はそれに従って上下に揺れず、組立作業が一層安定になる。
【００１３】
２．シールド３をシールド枠２と一緒にヘルメット１から取外し、ヘルメット１においてシールド枠２の両端に対応する枢接箇所に痕のない平ら状態が保てるため、より美観に優れ、且使い勝手もより優れている。  前記の説明から、本実施例のヘルメットのシールド枠の構造の改良における設計では、主としてシールド枠２の両端に其々吸盤２３を設けることにより、ヘルメット１に固着する強度が高められ、使用時、揺れたり不安定になったりする状態が生じないため、従来知られた構造と違った、斬新な効果を持つことになり確かに本考案の目的に達する。
【００１４】
以上に述べたことは単に本考案のより良い実施例だけであって本考案における実用新案登録請求の範囲はそれを以って制限されないため、凡そ本考案の創作における説明内容及び実用新案登録請求の範囲により作られた効果同等の変化は皆本考案の実用新案登録請求の範囲内に納められるべきである。
【図面の簡単な説明】
【００１５】
【図１】本考案の一実施例によるヘルメットのシールド枠の構造の改良の分解構造を示す立体分解図である。
【図２】本考案の一実施例によるヘルメットのシールド枠の構造の改良を示す側面図である。
【図３】本考案の一実施例によるヘルメットのシールド枠の構造の改良を示す平面図である。
【符号の説明】
【００１６】
１：ヘルメット、１１：穴、１２：帽体結合止金、２：シールド枠、２１：後枠体、２２：前枠体、２３：吸盤、２４：後枠結合止金、２５：前枠結合止金、２６：下位置制限パーツ、２７：上位置制限パーツ、３：シールド、３１：シールド結合止金
【図１】
0003128447.tif 000003
【図２】
0003128447.tif 000004
【図３】
0003128447.tif 000005